(57)【特許請求の範囲】
【請求項１】
第１の公衆電話回線、該第１の公衆電話回線に接続する第１のサーバ、該第１のサーバと接続するインターネット用の専用電話回線、該専用電話回線に接続された第２のサーバおよび該第２のサーバに接続された第２の公衆電話回線を介して前記第１の公衆回線に接続されている第１の電話機と前記第２の公衆電話回線に接続されている第２の電話機との間でインターネット電話による通信を行うために、前記第１の公衆電話回線上に設置されるアダプターにおいて、
前記第１の電話機のオフフックを検知する検知手段と、
当該オフフックの検知に応じて、前記第１の電話機から入力された前記第２の電話機の電話番号を受信する受信手段と、
前記第１のサーバの電話番号および認証のためのユーザ関連情報を記憶する記憶手段と、
該記憶手段に記憶された電話番号に基づき前記第１の公衆電話回線を介して前記第１のサーバに対してダイヤルアップを行うダイヤル手段と、
該ダイヤル手段によりダイヤルアップの完了後、前記記憶手段に記憶されたユーザ関連情報および前記受信手段により受信された電話番号を前記第１の公衆電話回線を介して前記第１のサーバに対して送信する送信手段と、
前記送信手段によりダイヤルアップを行う第１のモードと、前記第１の公衆電話回線、前記第２の公衆電話回線を含む公衆電話回線のみのダイヤルアップを行う第２のモードが予め定められており、前記第１の電話機から指示されるモードが前記第１のモードの場合には、前記送信手段によるダイヤルアップを実行させ、前記第１の電話機から指示されるモードが前記第２のモードの場合には、前記第１の電話機から送出されるダイヤル番号を直接前記第１の公衆電話回線に転送するように制御する制御手段と
を具え、前記第１の電話機は前記第２の電話機の電話番号の入力に関連付けて、前記第１のモードおよび前記第２のモードのいずれか一方のモードを指示する特定の記号の入力を受け付け、当該受け付けた特定の記号を前記制御手段に送信し、前記制御手段は、該特定の記号の有無を判別して前記第１のモードまたは前記第２のモードを設定することを特徴とするアダプター。
【請求項２】
請求項１に記載のアダプターにおいて、前記アダプターは前記第１の電話機内に設置されることを特徴とするアダプター。
【請求項３】
第１の公衆電話回線、該第１の公衆電話回線に接続する第１のサーバ、該第１のサーバと接続するインターネット用の専用電話回線、該専用電話回線に接続された第２のサーバおよび該第２のサーバに接続された第２の公衆電話回線を介して前記第１の公衆回線に接続されている第１の電話機と前記第２の公衆電話回線に接続されている第２の電話機との間でインターネット電話による通信を行うために、前記第１の公衆電話回線上に設置されるアダプターのダイヤルアップ方法において、
前記第１の電話機のオフフックを検知する検知ステップと、
当該オフフックの検知に応じて、前記第１の電話機から入力された前記第２の電話機の電話番号を受信する受信ステップと、
前記第１のサーバの電話番号および認証のためのユーザ関連情報を記憶する記憶ステップと、
該記憶ステップにおいて記憶された電話番号に基づき前記第１の公衆電話回線を介して前記第１のサーバに対してダイヤルアップを行うダイヤルアップステップと、
該ダイヤルアップステップによりダイヤルアップの完了後、前記記憶ステップにおいて記憶されたユーザ関連情報および前記受信ステップにおいて受信された電話番号を前記第１の公衆電話回線を介して前記第１のサーバに対して送信する送信ステップと、
前記送信ステップによりダイヤルアップを行う第１のモードと、前記第１の公衆電話回線、前記第２の公衆電話回線を含む公衆電話回線のみのダイヤルアップを行う第２のモードが予め定められており、前記第１の電話機から指示されるモードが前記第１のモードの場合には、前記送信ステップによるダイヤルアップを実行させ、前記第１の電話機から指示されるモードが前記第２のモードの場合には、前記第１の電話機から送出されるダイヤル番号を直接前記第１の公衆電話回線に転送するように制御する制御ステップと、
前記第１の電話機は前記第２の電話機の電話番号の入力に関連付けて、前記第１のモードおよび前記第２のモードのいずれか一方のモードを指示する特定の記号の入力を受け付けるステップと
を具え、当該受け付けた特定の記号を前記制御ステップにおいて受信し、前記制御ステップは、該特定の記号の有無を判別して前記第１のモードまたは前記第２のモードを設定することを特徴とするアダプターのダイヤルアップ方法。
【請求項４】
請求項３に記載のアダプターのダイヤルアップ方法において、前記アダプターは前記第１の電話機内に設置されることを特徴とするアダプターのダイヤルアップ方法。
【請求項５】
第１の公衆電話回線、該第１の公衆電話回線に接続する第１のサーバ、該第１のサーバと接続するインターネット用の専用電話回線、該専用電話回線に接続された第２のサーバおよび該第２のサーバに接続された第２の公衆電話回線を介して前記第１の公衆回線に接続されている第１の電話機と前記第２の公衆電話回線に接続されている第２の電話機との間でインターネット電話による通信を行うために、前記第１の公衆電話回線上に設置されるアダプターであって、該アダプターはコンピュータを有し、前記アダプターに装着され、前記コンピュータが読み取り実行可能なプログラムを記録したアダプターの記録媒体において、前記プログラムは、
前記第１の電話機のオフフックを検知する検知ステップと、
当該オフフックの検知に応じて、前記第１の電話機から入力された前記第２の電話機の電話番号を受信する受信ステップと、
前記第１のサーバの電話番号および認証のためのユーザ関連情報を記憶する記憶ステップと、
該記憶ステップにおいて記憶された電話番号に基づき前記第１の公衆電話回線を介して前記第１のサーバに対してダイヤルアップを行うダイヤルアップステップと、
該ダイヤルアップステップによりダイヤルアップの完了後、前記記憶ステップにおいて記憶されたユーザ関連情報および前記受信ステップにおいて受信された電話番号を前記第１の公衆電話回線を介して前記第１のサーバに対して送信する送信ステップと
前記送信ステップによりダイヤルアップを行う第１のモードと、前記第１の公衆電話回線、前記第２の公衆電話回線を含む公衆電話回線のみのダイヤルアップを行う第２のモードが予め定められており、前記第１の電話機から指示されるモードが前記第１のモードの場合には、前記送信ステップによるダイヤルアップを実行させ、前記第１の電話機から指示されるモードが前記第２のモードの場合には、前記第１の電話機から送出されるダイヤル番号を直接前記第１の公衆電話回線に転送するように制御する制御ステップと、
前記第１の電話機は前記第２の電話機の電話番号の入力に関連付けて、前記第１のモードおよび前記第２のモードのいずれか一方のモードを指示する特定の記号の入力を受け付けるステップと
を具え、当該受け付けた特定の記号を前記制御ステップにおいて受信し、前記制御ステップは、該特定の記号の有無を判別して前記第１のモードまたは前記第２のモードを設定することを特徴とするアダプターの記録媒体。
【請求項６】
請求項５に記載のアダプターの記録媒体において、前記アダプターは前記第１の電話機内に設置されることを特徴とするアダプターの記録媒体。
【発明の詳細な説明】
【０００１】
【発明の属する技術分野】
本発明は、インターネットなど専用電話回線を使用して、電話、ファクシミリ送信を行うためのアダプター、そのダイヤルアップ方法およびその記録媒体に関する。
【０００２】
【従来の技術】
インターネットを使用した通信、たとえば、電子メール、ＷＷＷ（ＷｏｒｌｄＷｉｄｅ  Ｗｅｂ）などの普及により最近では、インターネット網でもインターネット電話と呼ばれる電話サービスが始まってきた。このサービスは、ユーザーがインターネット接続会社に電話をかけると、必要なユーザ情報、たとえば、ユーザーＩＤ、代金引き落とし方法、呼び出すべき相手先の電話番号をユーザから聞き取り、インターネットを介して相手先の電話を呼び出すというサービスである。
【０００３】
ユーザがインターネット電話を使用して相手に電話をかける場合には、次のような処理が必要である。すなわち、ユーザは自分のユーザＩＤ、銀行口座の引き落とし番号、呼び出すべき相手の電話番号を電話機のプッシュダイヤルボタンを使用してインターネット接続会社（プロバイダーとも呼ばれる）に送信する。インターネット接続会社に接続された通信サーバーはこのダイアル発信の内容を識別して、ユーザであることの認証を行った後、インターネット回線と発呼側が使用している公衆電話回線とを接続する。次に、呼び出し先の相手に最も近く、インターネットに接続されたインターネット接続会社のサーバに対して、発呼側から依頼された電話番号の相手先（被呼側）に電話をかけるよう依頼する。
【０００４】
この依頼を受けたサーバは公衆電話回線を利用して、依頼のあった相手を呼び出す。相手側が電話機をオフフック（送受話器を電話機から外すこと）すると、以後、発呼側のユーザと被呼側の者との間で音声による通話が可能となる。
【０００５】
インターネットによる通信を可能とするために、インターネット接続会社のサーバは、アナログ信号の形態の音声信号を、インターネット回線で通信可能なデジタル信号に変換して送信し、受話者に近いインターネット接続会社のコンピュータは上記デジタル信号を公衆電話回線用のアナログの音声信号に変換する。
【０００６】
【発明が解決しようとする課題】
このようにしてインターネットと呼ばれる専用電話回線を使用することにより、廉価な電話代で遠距離での通話を行うことが可能となってきた。
【０００７】
しかしながら、インターネット電話を利用するためには、ユーザは、ユーザＩＤ，代金決済のための銀行口座番号、相手先の電話番号をインターネット電話会社のコンピュータ（サーバ）に知らせるために電話機のダイヤルプッシュボタンを操作しなければならない。日本のインターネット電話会社の場合には、上記すべての情報を入力する場合には、合計３３桁にも及ぶ番号を入力することになり、ユーザのダイヤルプッシュボタンの操作は大変な労力となる。また、ダイヤルプッシュボタンの操作を誤るとユーザは、最初から操作をやり直さなければならない。
【０００８】
また、現在の技術ではインターネット電話は音声の品質が公衆電話回線だけの通話と比べると悪いという問題があり、インターネット電話と公衆電話回線を選択的に使用したいという要望がある。
【０００９】
そこで、本発明の第１の目的は、インターネットのような専用電話回線を使用して電話をかける際のユーザの操作を極力少なくすることの可能なアダプター、そのダイヤルアップ方法およびその記録媒体を提供することにある。
【００１０】
本発明の第２の目的は、インターネット電話での相手先の呼び出しと公衆電話回線を利用した相手先の呼び出しとをユーザが簡単な操作で選択できるアダプター、そのダイヤルアップ方法およびその記録媒体を提供することにある。
【００１１】
【課題を解決するための手段】
請求項１の発明は、第１の公衆電話回線、該第１の公衆電話回線に接続する第１のサーバ、該第１のサーバと接続するインターネット用の専用電話回線、該専用電話回線に接続された第２のサーバおよび該第２のサーバに接続された第２の公衆電話回線を介して前記第１の公衆回線に接続されている第１の電話機と前記第２の公衆電話回線に接続されている第２の電話機との間でインターネット電話による通信を行うために、前記第１の公衆電話回線上に設置されるアダプターにおいて、前記第１の電話機のオフフックを検知する検知手段と、当該オフフックの検知に応じて、前記第１の電話機から入力された前記第２の電話機の電話番号を受信する受信手段と、前記第１のサーバの電話番号および認証のためのユーザ関連情報を記憶する記憶手段と、該記憶手段に記憶された電話番号に基づき前記第１の公衆電話回線を介して前記第１のサーバに対してダイヤルアップを行うダイヤル手段と、該ダイヤル手段によりダイヤルアップの完了後、前記記憶手段に記憶されたユーザ関連情報および前記受信手段により受信された電話番号を前記第１の公衆電話回線を介して前記第１のサーバに対して送信する送信手段と、前記送信手段によりダイヤルアップを行う第１のモードと、前記第１の公衆電話回線、前記第２の公衆電話回線を含む公衆電話回線のみのダイヤルアップを行う第２のモードが予め定められており、前記第１の電話機から指示されるモードが前記第１のモードの場合には、前記送信手段によるダイヤルアップを実行させ、前記第１の電話機から指示されるモードが前記第２のモードの場合には、前記第１の電話機から送出されるダイヤル番号を直接前記第１の公衆電話回線に転送するように制御する制御手段とを具え、前記第１の電話機は前記第２の電話機の電話番号の入力に関連付けて、前記第１のモードおよび前記第２のモードのいずれか一方のモードを指示する特定の記号の入力を受け付け、当該受け付けた特定の記号を前記制御手段に送信し、前記制御手段は、該特定の記号の有無を判別して前記第１のモードまたは前記第２のモードを設定することを特徴とする。
【００１２】
請求項２の発明は、請求項１に記載のアダプターにおいて、前記アダプターは前記第１の電話機内に設置されることを特徴とする。
【００１３】
請求項３の発明は、第１の公衆電話回線、該第１の公衆電話回線に接続する第１のサーバ、該第１のサーバと接続するインターネット用の専用電話回線、該専用電話回線に接続された第２のサーバおよび該第２のサーバに接続された第２の公衆電話回線を介して前記第１の公衆回線に接続されている第１の電話機と前記第２の公衆電話回線に接続されている第２の電話機との間でインターネット電話による通信を行うために、前記第１の公衆電話回線上に設置されるアダプターのダイヤルアップ方法において、前記第１の電話機のオフフックを検知する検知ステップと、当該オフフックの検知に応じて、前記第１の電話機から入力された前記第２の電話機の電話番号を受信する受信ステップと、前記第１のサーバの電話番号および認証のためのユーザ関連情報を記憶する記憶ステップと、該記憶ステップにおいて記憶された電話番号に基づき前記第１の公衆電話回線を介して前記第１のサーバに対してダイヤルアップを行うダイヤルアップステップと、該ダイヤルアップステップによりダイヤルアップの完了後、前記記憶ステップにおいて記憶されたユーザ関連情報および前記受信ステップにおいて受信された電話番号を前記第１の公衆電話回線を介して前記第１のサーバに対して送信する送信ステップと、前記送信ステップによりダイヤルアップを行う第１のモードと、前記第１の公衆電話回線、前記第２の公衆電話回線を含む公衆電話回線のみのダイヤルアップを行う第２のモードが予め定められており、前記第１の電話機から指示されるモードが前記第１のモードの場合には、前記送信ステップによるダイヤルアップを実行させ、前記第１の電話機から指示されるモードが前記第２のモードの場合には、前記第１の電話機から送出されるダイヤル番号を直接前記第１の公衆電話回線に転送するように制御する制御ステップと、前記第１の電話機は前記第２の電話機の電話番号の入力に関連付けて、前記第１のモードおよび前記第２のモードのいずれか一方のモードを指示する特定の記号の入力を受け付けるステップとを具え、当該受け付けた特定の記号を前記制御ステップにおいて受信し、前記制御ステップは、該特定の記号の有無を判別して前記第１のモードまたは前記第２のモードを設定することを特徴とする。
【００１５】
請求項４の発明は、請求項３に記載のアダプターのダイヤルアップ方法において、前記アダプターは前記第１の電話機内に設置されることを特徴とする。
【００１６】
請求項５の発明は、第１の公衆電話回線、該第１の公衆電話回線に接続する第１のサーバ、該第１のサーバと接続するインターネット用の専用電話回線、該専用電話回線に接続された第２のサーバおよび該第２のサーバに接続された第２の公衆電話回線を介して前記第１の公衆回線に接続されている第１の電話機と前記第２の公衆電話回線に接続されている第２の電話機との間でインターネット電話による通信を行うために、前記第１の公衆電話回線上に設置されるアダプターであって、該アダプターはコンピュータを有し、前記アダプターに装着され、前記コンピュータが読み取り実行可能なプログラムを記録したアダプターの記録媒体において、前記プログラムは、前記第１の電話機のオフフックを検知する検知ステップと、当該オフフックの検知に応じて、前記第１の電話機から入力された前記第２の電話機の電話番号を受信する受信ステップと、前記第１のサーバの電話番号および認証のためのユーザ関連情報を記憶する記憶ステップと、該記憶ステップにおいて記憶された電話番号に基づき前記第１の公衆電話回線を介して前記第１のサーバに対してダイヤルアップを行うダイヤルアップステップと、該ダイヤルアップステップによりダイヤルアップの完了後、前記記憶ステップにおいて記憶されたユーザ関連情報および前記受信ステップにおいて受信された電話番号を前記第１の公衆電話回線を介して前記第１のサーバに対して送信する送信ステップと前記送信ステップによりダイヤルアップを行う第１のモードと、前記第１の公衆電話回線、前記第２の公衆電話回線を含む公衆電話回線のみのダイヤルアップを行う第２のモードが予め定められており、前記第１の電話機から指示されるモードが前記第１のモードの場合には、前記送信ステップによるダイヤルアップを実行させ、前記第１の電話機から指示されるモードが前記第２のモードの場合には、前記第１の電話機から送出されるダイヤル番号を直接前記第１の公衆電話回線に転送するように制御する制御ステップと、前記第１の電話機は前記第２の電話機の電話番号の入力に関連付けて、前記第１のモードおよび前記第２のモードのいずれか一方のモードを指示する特定の記号の入力を受け付けるステップとを具え、当該受け付けた特定の記号を前記制御ステップにおいて受信し、前記制御ステップは、該特定の記号の有無を判別して前記第１のモードまたは前記第２のモードを設定することを特徴とする。
【００１７】
請求項６の発明は、請求項５に記載のアダプターの記録媒体において、前記アダプターは前記第１の電話機内に設置されることを特徴とする。
【００２３】
【発明の実施の形態】
以下、図面を参照して本発明の実施形態を詳細に説明する。
【００２４】
図１は本発明実施形態のシステム構成を示すブロック図である。
【００２５】
図１において、１０１は周知の送受話器およびダイヤルボタンを有する市販の電話機である。電話機にはダイヤル式の電話機とトーン式の電話機があるが本実施形態では、トーン式を例に取り説明する。
【００２６】
１０２は本発明に係るアダプターである。アダプター１０１は、従来ユーザがプッシュホンダイヤルボタンで入力していたユーザ関連情報を自動的にインターネット電話会社のサーバ１０４に送信する。１０３は公衆電話回線網である。１０４はインターネット電話接続会社に設置され、公衆電話回線網１０３とインターネット通信網１０５とを接続する通信用のサーバである。
【００２７】
１０５はインターネットと呼ばれる、専用電話回線網（インターネット通信網と称する）である。インターネット通信網１０５では予め定められた規格に従って音声信号がデジタル的に伝送される。１０６は上記インターネット会社のインターネット通信網１０５に接続された他のサーバである。
【００２８】
１０７は被呼側の電話機１０８との接続のために使用する公衆電話回線網である。１０８は発呼側の電話機１０１が呼び出す被呼側の電話機である。
【００２９】
図２は本発明に係る図１のアダプター１０２の回路構成を示す。
【００３０】
図２において、１は一対の局線側端子であって、公衆電話回線網１０３内の電話交換機に接続された電話線と接続する。２は一対の電話機側端子であって、電話機１０１と接続する。局線側端子１と電話機側端子２とはリレー３の側接点を介して接続されており、局線側端子には１対の端子に並列に、トーン信号検出用のトランス４の一方の巻き線４Ａの両端が接続されている。
【００３１】
この一方の巻線４Ａと端子１のとの間にはフォトモスリレー５が介在しており、フォトモスリレー５は後述のＣＰＵ６のダイヤルパルス出力端からの信号によって、開閉して、一対の局線側端子１を開放し、または閉じる。これによって、ダイヤルパルス信号を局線側端子１を介して交換機に送出する。
【００３２】
７は電話機１０１から電話機側端子２に入力されるダイヤルパルス信号および電話機１０１のオフフック信号（送受話器を電話機から外した時に電話機で発生する信号）の有無に基づき電話機１０４のオフ／オンフックを検出するためのホトカプラである。オフ／オンフックの検出信号はフィルタ付きアンプ８を介してＣＰＵ６のダイヤルパルス入力端に入力され、さらにフィルタ付きアンプ９を介してＣＰＵ６のオフ／オンフック検出端に入力される。
【００３３】
１０はダイヤラーであって、ＣＰＵ６のダイヤルトーン信号（ＤＴＭＦ）信号用出力端からの信号に基づいてダイヤルトーン信号をトランス４の他方の巻線４Ｂに供給する。ダイヤラー１０からのダイヤルトーン信号はトランス４を介して局線側端子１に与えられ、そこから電話線を介して電話交換機に送出される。
【００３４】
電話交換機側から電話線を通して局線側端子１に入力されたトーン信号はカップリングコンデンサ１２およびレシーバアンプ１３を介してＣＰＵ６のＤＴＭＦ信号入力端に入力される。電話機１０１から電話機入力端２に入力されたダイヤルトーン信号も、コンデンサ１２およびアンプ１３を介してＣＰＵ６のダイヤルトーン信号入力端に入力される。
【００３５】
１４は安定化電源回路であって、抵抗１５を介して入力された外部からの直流（ＤＣ）電圧を安定化し、本装置の各構成回路に電源を供給する。２０はＣＰＵ６からの信号によって、制御されるリレードライバであって、リレー３を駆動する。リレー３がａ側接点に接続された時は、局線側端子１と電話機側端子２とは直線的に同通し、一方、ｂ側接点に接続された時は、両端子１、２の間は開放されて、電話機側端子２には、抵抗１６を介して安定化電源回路１４によって、安定化された電圧が電話機側端子２から電話機１０１に供給される。
【００３６】
６はＣＰＵであり、ＲＯＭ１７に格納された図３のプログラムを実行して本発明に関わる処理を実行するために上述の各回路を制御する。１７はＲＯＭであって、ＣＰＵ６が実行する処理を規定した図３のプログラムを保存する。
【００３７】
１８はＲＡＭであり、接続すべきインターネット接続会社の電話番号および接続に必要な情報、たとえば、信号送出後の待ち時間等の通信制御情報およびインターネット接続会社のサーバとセッション（この場合、通話を行う状態）を確立するための情報、すなわち、ユーザＩＤ、銀行口座番号を記憶する。これらの情報は予め記憶されているものとする。ＲＡＭ１８はさらに、電話機１０１が送出した被呼側のダイヤル番号を一時記憶する。
【００３８】
次に図２の回路の動作を図３のフローチャートを参照して説明する。図３はＣＰＵ６が実行するプログラムの内容を示す。図３に示す処理手順は実際にはコンピュータ（ＣＰＵ６）が読み取り実行可能なプログラム言語で記載されているが、説明の便宜上、図３においては、従来から周知の処理に分解して機能の形態で処理内容を表現している。
【００３９】
図３において、ＣＰＵ６はオフフック信号の有無をステップＳ１０のループ処理で監視する。ユーザがインターネット電話をかけるべく電話機１０１の送受話器を電話機１０１から外すと電話機１０１ではオフフック信号が発生される。オフフック信号がＣＰＵ６に入力されるとＣＰＵ６は実行手順をステップＳ２０に進め、リレー３をオフして局線側端子１と電話機側端子２との間を遮断する（ステップＳ２０）。ユーザは、次に、電話機１０１のダイヤルプッシュボタンを使用して、通話したい相手側の電話番号を入力する。ここで、注目すべき点はユーザは、相手方の電話番号のみ（ユーザ関連情報は入力せず）を通常の公衆電話回線のダイヤルアップ方法と同じ方法で、入力すればよい点である。本実施形態では、インターネット電話を使用した第１の通信系統と公衆電話回線網のみを使用した第２の通信系統を選択可能である。第１の通信系統をユーザが選択する第１のモードの場合、ユーザは、相手際の電話番号のみを入力する。第２の通信系統を選択する第２のモードの場合にはユーザは相手先の電話番号の前に＊記号を付して入力する。
【００４０】
電話機１０１が発生するダイヤル番号はＣＰＵ６に入力された後、ＲＡＭ１８に一時記憶される（ステップＳ３０）。次に，ＣＰＵ６は入力されたダイヤル番号の先頭部分の文字が“＊”であるか否かを判定する（ステップＳ４０）。文字が“＊”の場合にはＣＰＵ６は実行手順をステップＳ１１０に進める。
【００４１】
ステップＳ１１０でＣＰＵ６はＲＡＭ１８に記憶しておいてたダイヤル番号の中の＊を除く番号を使用して、ダイヤラー１０を駆動し、この電話番号に対応するトーン信号を発生させる。この後、リレー３をオンして局線側端子１と電話機側端子２との間を接続する（ステップＳ１１０→ステップＳ１２０）。
【００４２】
これにより、送受話器を持っているユーザは、従来と同様、呼び出し音を確認した後、電話をとった相手と通話を行うことができる。この間ＣＰＵ６は待機処理を続ける。（ステップＳ１３０のループ処理）、電話機１０１のオンフック（オフフック信号の消滅）を検出した時に（ステップＳ１３０のＹＥＳ判定）、実行手順をステップＳ１０に戻し、次回の通話に備える。
【００４３】
一方、ユーザが入力した電話番号に文字“＊”が付加されいない場合には（ステップＳ４０のＮＯ判定）、ＣＰＵ６はＲＡＭ１８に保存されているインターネット接続会社の電話番号を読み出して、ダイヤルアップを行う（ステップＳ７０）。電話がつながるまで、所定数回、再度ダイヤルアップが行われる（ステップＳ５０→ステップＳ６０のループ処理）。
【００４４】
接続が成功したことをインターネット接続会社のサーバ１０４のモデムからの信号によりＣＰＵ６が検知すると、サーバ１０４との間のセッションを確立すべく、ユーザ関連情報、すなわち、ユーザＩＤ、銀行口座番号等をダイヤラー１０を介して上記コンピュータに送信する（ステップＳ７０）。ユーザ関連情報の種類および通信条件はは、インターネット接続会社により異なるので、所望のインターネット接続会社の通信関連情報を予め用意しておく。
【００４５】
セッションが確立すると、以後、通話が可能となるので、ＣＰＵ６はリレー３をオンして局線側端子１と電話機側端子２との間を接続する（ステップＳ８０→ステップＳ９０）。
【００４６】
以上の処理の後は、従来と同様、インターネット接続会社のサーバ１０４および１０６との間でインターネット通信網１０５を介した通信系統が確立され、サーバ１０６から公衆電話回線網１０７を使用して相手側の電話機１０８の呼びだしが行われる。相手が電話機１０８をオフフックすると電話機１０１と電話機１０８との間で通話が可能となる。この間ＣＰＵ６はステップＳ１００で待機処理を続け、電話機１０１のオンフックを検出したときに、実行手順をステップＳ１０に戻し、次回の通話に備える。
【００４７】
本実施形態の他に次の形態を実施できる。
【００４８】
１）上述の実施形態は市販の電話機１０１にアダプター１０２を外部的に接続した。しかしながらアダプター１０１を電話機１０１内に設置することもできる。
【００４９】
この場合には、後述のインターネット接続会社の電話番号登録機能を電話機に持たせるとよい。
【００５０】
２）上述の実施形態では、ＲＡＭ１８に予めインターネット接続会社の電話番号を記憶させているが、電話機１０１のダイヤルブッシュボタンを使用して電話番号の登録を行うことができる。こためには予め登録モードを指示する特定の数字列をユーザが入力した後、インターネット接続会社の電話番号を入力する。ＣＰＵ６は上記特定の数字列が入力されたことを識別すると、以後入力された電話番号をＲＡＭ１８に記憶する。
【００５１】
登録モードをＣＰＵ６に指示する他の方法としては登録モードを指示する専用のプッシュボタンを電話機１０１に設ける方法がある。
【００５２】
さらに予め電話機１０１内のメモリに複数の電話番号および通信関連情報を記憶しておき、登録モードが指示されたときに選択候補を電話機１０１のＬＣＤ表示器に表示し、表示された候補の中の所望の電話番号をユーザがプッシュボタンにより選択する。電話機１０１は選択された電話番号および通信関連情報をアダプター１０２にトーン信号で転送することにより、アダプター１０２内のＲＡＭ１８に電話番号を記憶させることができる。
【００５３】
電話機１０１にメモリカード読み取り装置を取り付け、電話番号、通信条件を記憶したメモリカード読み取り装置に読み取らせることにより、電話番号、通信条件を登録することも可能である。このメモリカードはインターネット接続会社側で発行する。
【００５４】
３）上述の実施形態では、公衆電話回線のみを使用する場合には文字＊を付加したが、文字の代わりに他の文字（数字を含む）を使用してもよく、専用のプッシュボタンを電話機１０１に設けてもよい。
【００５５】
４）上述の実施形態では電話機１０１でインターネット電話を行う例であったがファクシミリ送受信機にも本発明を適用することができる。ただし、この場合には、ファクシミリ装置側にオフフック信号を発生する回路を設ける必要がある。また、本発明をファクシミリ送受信機に適用する場合には、特許請求の範囲に記載されている電話機をファクシミリ送受信機と解すべきである。
【００５６】
５）上述の実施形態ではアナログの公衆電話回線を例に示したが、日本ではＩＮＳ６４やＩＮＳ１２８と呼ばれるＩＳＤＮの電話公衆回線にも本発明を適用することができる。この場合は、図２のＣＰＵ６の周辺の回路をＩＳＤＮ対応にすればよく、当業者であれば容易に、本明細書からＩＳＤＮ用のアダプターを製作することが可能であろう。
【００５７】
６）上述の例では、専用電話回線の例としてインターネットを説明したが、他のコンピュータ通信用に使用されている専用電話回線、あるいはダイヤルアップ接続を行うＷＡＮ（広域エリアネットワーク）にも本発明を適用することができる。
【００５８】
７）上述の実施形態では特定周波数のトーン信号を発生する電話機を説明したが、トーン信号に限らず他の形態のダイヤル信号にも本発明を適用可能である。
【００５９】
８）上述の実施形態では、ＣＰＵ６の実行する図３のプログラムをＲＯＭ１７に記憶させているがプログラムを記憶する記録媒体としては、電源によりバックアップされたＲＡＭ、フロッピーディスク、メモリカード等の携帯用記憶媒体を使用することができる。また、これらの記録媒体からプログラムをＲＡＭ等にインストールしてもよい。さらにはＲＯＭを交換可能にしてもよい。
【００６０】
【発明の効果】
以上、説明したように、請求項１、３、５の発明ではアダプターが自動的にインターネット接続会社へのダイヤルアップ、認証用のユーザ関連情報を送信するので、ユーザはこれらの情報入力から開放され、誤入力も無くなる。さらに、専用電話回線を使用した廉価な通話と、公衆電話回線のみを使用した音声の品質がよい通話とをユーザが選択でき、また、その選択も電話機のダイヤルボタンを使用して行うことができる。
【００６１】
請求項２、４、６の発明では、アダプターが送話者側の第１の電話機内に設置されるので、第１の電話機の設置スペースを狭くすることができ、また、配線も簡素化される。
【図面の簡単な説明】
【図１】本発明実施形態のシステム構成を示すブロック図である。
【図２】本発明に係る図１のアダプター１０２の回路構成を示す回路図である。
【図３】ＣＰＵ６が実行するプログラムの内容を示すフローチャートである。
【符号の説明】
１０１，１０８  電話機
１０２  アダプター
１０３，１０７  公衆電話回線網
１０４，１０６  サーバ
１０５  インターネット通信網
【図１】
0003980743.tif 000002
【図２】
0003980743.tif 000003
【図３】
0003980743.tif 000004